(57)【要約】【課題】１００万画素以上の高密度の固体撮像素子を用いるデジタルスチルカメラに適した、安価で高性能の撮像レンズを提供する。【解決手段】物体側から像面側に向けて順に、正の屈折力をもつレンズ１及び負の屈折力をもつレンズ２からなる第１レンズ群、所定の口径をなす開口絞り６、負の屈折力をもつ１つのレンズ３及び正の屈折力をもつ２つのレンズ４，５からなる第２レンズ群を備え、第１レンズ群及び第２レンズ群は、それぞれにおいて樹脂材料により形成された樹脂レンズ２，５を含むように形成されている。これにより、正の屈折力をもつ３枚のレンズと負の屈折力をもつ２枚のレンズとからなるレトロフォーカスタイプの構成であり、コストを低減でき、適切なバックフォーカスを確保でき、射出角度を小さく抑えた、広画角で明るく、高密度の固体撮像素子にも対応できる光学性能の高い撮像レンズが得られる。【選択図】  図１ 
2005316015.tif 000002
【特許請求の範囲】
【請求項１】
物体側から像面側に向けて順に、
正の屈折力をもつレンズ及び負の屈折力をもつレンズからなる第１レンズ群と、
所定の口径をなす開口絞りと、
負の屈折力をもつ１つのレンズ及び正の屈折力をもつ２つのレンズからなる第２レンズ群と、を備え、
前記第１レンズ群及び第２レンズ群は、それぞれにおいて樹脂材料により形成された樹脂レンズを含む、
ことを特徴とする撮像レンズ。
【請求項２】
前記第２レンズ群は、負の屈折力をもつレンズ及び正の屈折力をもつレンズを接合した接合レンズを含む、
ことを特徴とする請求項１記載の撮像レンズ。
【請求項３】
前記第１レンズ群は、物体側の面及び像面側の面の少なくとも一方の面が非球面に形成されたレンズを含む、
ことを特徴とする請求項１又は２に記載の撮像レンズ。
【請求項４】
前記樹脂レンズには、少なくとも１つの負の屈折力をもつレンズと、少なくとも１つの正の屈折力をもつレンズと、が含まれる、
ことを特徴とする請求項１ないし３いずれかに記載の撮像レンズ。
【請求項５】
レンズ系の焦点距離をｆ、前記第１レンズ群の物体側に位置するレンズの前面から像面までのレンズ系の全長をＴＬ（空気換算距離）とするとき、下記条件式（１）を満足する、ことを特徴とする請求項１ないし４いずれかに記載の撮像レンズ。
（１）１＜ＴＬ／ｆ＜４
【請求項６】
前記接合レンズにおいて、負の屈折力をもつレンズのアッベ数をνｆ、正の屈折力をもつレンズのアッベ数をνｓとするとき、下記条件式（２）を満足する、ことを特徴とする請求項２ないし５いずれかに記載の撮像レンズ。
（２）│νｆ−νｓ│＞１５
【請求項７】
前記第２レンズ群の最も像面側に位置するレンズは、物体側の面及び像面側の面の少なくとも一方の面が非球面に形成されている、
ことを特徴とする請求項１ないし６いずれかに記載の撮像レンズ。
【請求項８】
前記樹脂レンズの焦点距離をｆｐ、焦点距離ｆｐの逆数を加算した値をΣ（１／ｆｐ）とするとき、下記条件式（３）を満足する、ことを特徴とする請求項１ないし７いずれかに記載の撮像レンズ。
（３）│Σ（１／ｆｐ）│＜０．３
【発明の詳細な説明】
【技術分野】
【０００１】
本発明は、ＣＣＤ等の固体撮像素子を用いた電子撮像装置に適用される撮像レンズに関し、特に、デジタルスチルカメラ等に好適な撮像レンズに関する。
【背景技術】
【０００２】
近年においては、デジタルスチルカメラの普及に伴い、固体撮像素子及び撮像レンズの高性能化、低コスト化、コンパクト化等が要求されている。
また、撮像レンズと固体撮像素子との間には、色モアレ防止用のローパスフィルタ、固体撮像素子の分光感度を補正するための赤外線カットフィルタ等を配置する必要があるため、バックフォーカスを十分確保して、射出角度を抑えたものとして、レトロフォーカスタイプの撮像レンズが知られている（例えば、特許文献１、特許文献２参照）。しかしながら、この撮像レンズは、６枚のレンズにより構成されており、コスト高になっている。
【０００３】
また、５枚のレンズにより構成される撮像レンズも知られている（例えば、特許文献３参照）。しなしながら、この撮像レンズを、近年における画素数の多いＣＣＤ等の固体撮像素子に適用すると、特に倍率色収差が大きくなってしまう。
この問題を解決するものとして、樹脂材料によりレンズを形成し、最も物体側に位置するレンズの前面に非球面を採用したものが知られている（例えば、特許文献４参照）。しかしながら、最も物体側に位置するレンズの前面に非球面を採用すると、傷付き易いという欠点がある。
【０００４】
【特許文献１】特開平０６−３４７６９４号公報
【特許文献２】特開平０８−１５２５５５号公報
【特許文献３】特開平１０−２０１８８号公報
【特許文献４】特開平１１−１４２７３０号公報
【発明の開示】
【発明が解決しようとする課題】
【０００５】
本発明は、上記の従来技術の問題点に鑑みて成されたものであり、その目的とするところは、２群５枚という構成にも拘わらず、非球面を施す位置、正，負のパワー配置を適切に設定することにより、広画角で、明るく、しかも安価で、１００万画素以上の高密度の固体撮像素子にも対応でき、特にデジタルスチルカメラ等に適した光学性能の高い撮像レンズを提供することにある。
【課題を解決するための手段】
【０００６】
本発明の撮像レンズは、物体側から像面側に向けて順に、正の屈折力をもつレンズ及び負の屈折力をもつレンズからなる第１レンズ群と、所定の口径をなす開口絞りと、負の屈折力をもつ１つのレンズ及び正の屈折力をもつ２つのレンズからなる第２レンズ群と、を備え、上記第１レンズ群及び第２レンズ群は、それぞれにおいて樹脂材料により形成された樹脂レンズを含む、ことを特徴としている。
【０００７】
この構成によれば、全体として、正の屈折力をもつ３枚のレンズと負の屈折力をもつ２枚のレンズとからなるレトロフォーカスタイプの構成であるため、コストを低減でき、適切なバックフォーカスを確保でき、射出角度を小さく抑えた、高密度の固体撮像素子にも対応できる光学性能の高い撮像レンズが得られる。
特に、第１レンズ群を物体側から順に正の屈折力をもつレンズ及び負の屈折力をもつレンズで構成することにより、物体側に位置するレンズをガラス材料により形成することができ、傷、汚れ等の問題を解消できる。
【０００８】
上記構成において、第２レンズ群は、負の屈折力をもつレンズ及び正の屈折力をもつレンズを接合した接合レンズを含む、構成を採用することができる。
この構成によれば、接合レンズを採用したことにより、単一レンズで同様の光学性能を得る場合に比べて、加工が容易になり、コストを低減でき、色収差を良好に補正することができる。
【０００９】
上記構成において、第１レンズ群は、物体側の面及び像面側の面の少なくとも一方の面が非球面に形成されたレンズを含む、構成を採用することができる。
この構成によれば、球面収差等の軸上収差を良好に補正することができ、高密度の固体撮像素子に好適な光学性能の高い撮像レンズが得られる。
【００１０】
上記構成において、樹脂レンズには、少なくとも１つの負の屈折力をもつレンズと、少なくとも１つの正の屈折力をもつレンズと、が含まれる、構成を採用することができる。
この構成によれば、温度変化によりバックフォーカスに影響が及ぶのを抑制することができる。すなわち、正の屈折力あるいは負の屈折力に偏った樹脂レンズを採用すると、温度変化によるバックフォーカスへの影響が生じて、レンズのパワーを小さく抑えなければならず、設定の自由度が小さくなるが、正の屈折力をもつレンズと負の屈折力をもつレンズとを少なくとも１枚ずつ含めたことにより、温度変化によるバックフォーカスへの影響が打ち消されて、その影響を抑制ないし防止することができる。
【００１１】
上記構成において、レンズ系の焦点距離をｆ、第１レンズ群の物体側に位置するレンズの前面から像面までのレンズ系の全長をＴＬ（空気換算距離）とするとき、次式（１）
（１）１＜ＴＬ／ｆ＜４
を満足する、構成を採用することができる。
この構成によれば、レンズ系の全長と焦点距離との比が上記の条件を満たすことにより、広い画角が得られて、薄型化を達成することができる。
【００１２】
上記構成において、接合レンズにつき、負の屈折力をもつレンズのアッベ数をνｆ、正の屈折力をもつレンズのアッベ数をνｓとするとき、次式（２）
（２）│νｆ−νｓ│＞１５
を満足する、構成を採用することができる。
この構成によれば、高解像化に大きな影響を及ぼす色収差を良好に補正することができ、高密度の固体撮像素子に好適な光学性能の高い撮像レンズが得られる。
【００１３】
上記構成において、第２レンズ群の最も像面側に位置するレンズは、物体側の面及び像面側の面の少なくとも一方の面が非球面に形成されている、構成を採用することができる。
この構成によれば、非点収差、歪曲収差等の軸外収差を良好に補正することができ、高密度の固体撮像素子に好適な光学性能の高い撮像レンズが得られる。
【００１４】
上記構成において、樹脂レンズの焦点距離をｆｐ、焦点距離ｆｐの逆数を加算した値をΣ（１／ｆｐ）とするとき、次式（３）
（３）│Σ（１／ｆｐ）│＜０．３
を満足する、構成を採用することができる。
この構成によれば、樹脂レンズの焦点距離に関する上記条件を満たすように形成することにより、温度変化によるバックフォーカスへの影響が打ち消されて、その影響を抑制ないし防止することができる。
【発明の効果】
【００１５】
上記のように、本発明の撮像レンズによれば、非球面を施す位置、正，負のパワー配置を適切に設定することにより、広画角で、明るく、しかも安価で、１００万画素以上の高密度の固体撮像素子にも対応でき、特にデジタルスチルカメラ等に適した光学性能の高い撮像レンズを得ることができる。
【発明を実施するための最良の形態】
【００１６】
以下、本発明の最良の実施形態について、添付図面を参照しつつ説明する。
図１は、本発明に係る撮像レンズの一実施形態を示す基本構成図である。
この撮像レンズにおいては、図１に示すように、光軸方向Ｌおいて、物体側から像面側に向けて、正の屈折力をもつ第１レンズ１及び負の屈折力をもつ第２レンズ２からなる第１レンズ群（Ｉ）、所定の口径をなす開口絞り６、第３レンズ３、第４レンズ４、及び第５レンズ５の３つのレンズからなる第２レンズ群（ＩＩ）と、が順次に配列されている。
【００１７】
そして、第１レンズ群（Ｉ）及び第２レンズ群（ＩＩ）は、正の屈折力をもつ３つのレンズ（第１レンズ１、第４レンズ４、第５レンズ５）及び負の屈折力をもつ２つのレンズ（第２レンズ２、第３レンズ３）により全体が形成され、又、第１レンズ群（Ｉ）及び第２レンズ群（ＩＩ）は、それぞれにおいて樹脂材料により形成された樹脂レンズ（第２レンズ２、第５レンズ５）を含む構成となっている。ここでは、第２レンズ群（ＩＩ）に含まれる第３レンズ３と第４レンズ４とは、接合レンズとして形成されている。
【００１８】
上記の配列構成において、第５レンズ５の後方には、赤外線カットフィルタ、ローパスフィルタ等のガラスフィルタ７及びガラスフィルタ８が配置され、その後方にＣＣＤ等の像面Ｐが配置されることになる。
すなわち、第１レンズ１及び第２レンズ２により形成される第１レンズ群（Ｉ）と、第３レンズ３、第４レンズ４、及び第５レンズ５により形成される第２レンズ群（ＩＩ）とを備えた、２群５枚構成の撮像レンズである。
【００１９】
ここで、第１レンズ１、第２レンズ２、開口絞り６、第３レンズ３、第４レンズ４、第５レンズ５、ガラスフィルタ７、及びガラスフィルタ８においては、図１に示すように、それぞれの面をＳｉ（ｉ＝１〜１４）、それぞれの面Ｓｉの曲率半径をＲｉ（ｉ＝１〜１４）、第１レンズ１〜第５レンズ５、ガラスフィルタ７，８のｄ線に対する屈折率をＮｉ及びアッベ数をνｉ（ｉ＝１〜７）で表す。さらに、第１レンズ１〜ガラスフィルタ８までのそれぞれの光軸方向Ｌにおける間隔（肉厚、空気間隔）をＤｉ（ｉ＝１〜１３）、ガラスフィルタ８〜像面ＰまでのバックフォーカスをＢＦで表す。
また、上記構成をなすレンズ系の焦点距離をｆ、第１レンズ１の前面（物体側の面Ｓ１）から像面Ｐまでのレンズ系の光軸方向Ｌにおける全長をＴＬ（空気換算距離）で表し、接合レンズにおいて、負の屈折力をもつレンズのアッベ数をνｆ、正の屈折力をもつレンズのアッベ数をνｓで表す。
【００２０】
第１レンズ１は、ガラス材料又は樹脂材料、好ましくはガラス材料により形成されており、正の屈折力をもつように、物体側の面Ｓ１が凸面に形成されかつ像面側の面Ｓ２が凸面に形成された両凸形状のレンズである。そして、物体側の面Ｓ１は球面に、像面側の面Ｓ２は球面又は非球面に形成されている。
仮に、第１レンズ群（Ｉ）を物体側から順に負の屈折力をもつ第１レンズ及び正の屈折力をもつ第２レンズで構成した場合、温度変化等を考慮すると、第１レンズを樹脂材料で形成する必要があり、その結果傷あるいは汚れ等の問題を生じる虞があるが、ここでは、第１レンズ１に正の屈折力をもたせたことで、第１レンズ１をガラス材料で形成することができ、傷、汚れ等の問題を解消できる。
【００２１】
第２レンズ２は、樹脂材料（プラスチック）により形成されており、負の屈折力をもつように、物体側の面Ｓ３が凸面に形成されかつ像面側の面Ｓ４が凹面に形成されたメニスカス形状の樹脂レンズである。そして、物体側の面Ｓ４は球面又は非球面に、像面側の面Ｓ５は非球面に形成されている。
このように、非球面を採用することで、球面収差を良好に補正することができる。すなわち、開口絞り６の近傍では、一般に球面収差等の軸上収差を生じ易いため、開口絞り６の近くに位置する第２レンズ２に非球面を設けることで、球面収差を良好に補正することができる。また、第２レンズ２を樹脂材料により形成することで、非球面等の複雑な形状を容易に成型することができると共に、軽量化及び低コスト化を達成できる。
【００２２】
第３レンズ３は、ガラス材料により形成されており、負の屈折力をもつように、物体側の面Ｓ６が凹面に形成されかつ像面側の面Ｓ７が凹面に形成された両凹形状のレンズである。
第４レンズ４は、ガラス材料により形成されており、正の屈折力をもつように、物体側の面Ｓ７が凸面に形成されかつ像面側の面Ｓ８が凸面に形成された両凸形状のレンズである。
そして、第３レンズ３と第４レンズ４とは、第３レンズ３の像面側の面Ｓ７と第４レンズ４の物体側の面Ｓ７とが接合されて（貼り合わせられて）、接合レンズとして形成されている。
仮に、これら２つのレンズを単一のレンズで代用した場合、色収差を補正するにはアッベ数を非常に大きくする必要があり、又、レンズ両面の曲率が非常に近い値となって加工が著しく困難になり、さらには、偏芯感度が増大し、組立て精度が厳しく要求されることになるが、このように接合レンズを採用することにより、加工が容易になり、色収差を良好に補正することができる。
【００２３】
第５レンズ５は、樹脂材料（プラスチック）により形成されており、正の屈折力をもつように、物体側の面Ｓ９が凸面に形成されかつ像面側の面Ｓ１０が凹面に形成されたメニスカス形状の樹脂レンズである。そして、物体側の面Ｓ９又は像面側の面Ｓ１０の少なくとも一方の面は、非球面に形成されている。
このように、非球面を採用することで、非点収差、歪曲収差を良好に補正することができる。すなわち、開口絞り６から離れた位置にあるレンズでは、一般に非点収差、歪曲収差等の軸外収差を生じ易いため、第５レンズ５に非球面を設けることで、非点収差、歪曲収差を良好に補正することができる。また、第５レンズ５を樹脂材料により形成することで、非球面等の複雑な形状を容易に成型することができると共に、軽量化及び低コスト化を達成できる。
【００２４】
また、第１レンズ群（Ｉ）の第２レンズ２と第２レンズ群（ＩＩ）の第５レンズ５とは、共に樹脂レンズであり、かつ、第２レンズ２が負の屈折力をもち、第５レンズ５が正の屈折力をもつように設定されているため、温度変化によりバックフォーカスに影響が及ぶのを抑制することができる。
すなわち、正の屈折力あるいは負の屈折力に偏った樹脂レンズを採用すると、温度変化によるバックフォーカスへの影響が生じて、レンズのパワーを小さく抑えなければならず、設定の自由度が小さくなるが、正の屈折力をもつレンズ（第５レンズ５）と負の屈折力をもつレンズ（第２レンズ２）とを少なくとも１枚ずつ含めたことにより、温度変化によるバックフォーカスへの影響が打ち消されて、その影響を抑制ないし防止することができる。
【００２５】
ここで、第１レンズ１、第２レンズ２、及び第５レンズ５に設ける非球面を表す式は、次式で規定される。
Ｚ＝Ｃｙ２／［１＋（１−εＣ２ｙ２）１／２］＋Ｄｙ４＋Ｅｙ６＋Ｆｙ８＋Ｇｙ１０
ただし、Ｚ：非球面の頂点における接平面から，光軸Ｌからの高さがｙの非球面上の点までの距離、ｙ：光軸からの高さ、Ｃ：非球面の頂点における曲率（１／Ｒ）、ε：円錐定数、Ｄ，Ｅ，Ｆ，Ｇ：非球面係数である。
【００２６】
また、上記構成においては、レンズ系の焦点距離ｆとレンズ系の全長ＴＬ（空気換算距離）とが、次式（１）
（１）１＜ＴＬ／ｆ＜４
を満足するように形成されている。
この式は、レンズ系の光軸方向Ｌにおける寸法とレンズ系全体の適切な焦点距離との比を定めたものであり、レンズ系の薄型化及び画角に関するものである。ＴＬ／ｆの値が４以上の場合は、レンズ系の全長が長くなるか又は焦点距離が小さくなり、その結果、薄型化の要求を満たさなくなるか又は画角が大きくなり過ぎて非点収差及び歪曲収差が大きくなり好ましくない。一方、ＴＬ／ｆの値が１以下の場合は、画角が小さくなり過ぎて好ましくない。すなわち、ＴＬ／ｆの値が（１）の条件を満たすことにより、レンズ系を薄型化、小型化することができ、好ましい画角を得ることができる。
【００２７】
また、上記構成においては、接合レンズに関して、負の屈折力をもつレンズ（第３レンズ３）のアッベ数νｆ（ν３）と、正の屈折力をもつレンズ（第４レンズ４）のアッベ数数νｓ（ν４）とが、次式（２）
（２）│νｆ−νｓ│＞１５
を満足するように形成されている。
この式は、接合レンズを形成する第３レンズ３及び第４レンズ４の適切なアッベ数の範囲を定めたものであり、この条件を満たすことにより、高解像度に影響を及ぼす色収差を良好に補正することができる。
【００２８】
さらに、上記構成においては、樹脂レンズ（第２レンズ２及び第５レンズ５）の焦点距離ｆｐの逆数を加算した値Σ（１／ｆｐ）が、次式（３）
（３）│Σ（１／ｆｐ）│＜０．３
を満足するように形成されている。
この式は、第１レンズ群（Ｉ）に含まれる樹脂レンズ（第２レンズ２）と第２レンズ群（ＩＩ）に含まれる樹脂レンズ（第５レンズ５）との焦点距離に関し、適切な範囲を定めたものであり、この条件を満たすことにより、温度変化によるバックフォーカスへの影響が２つの樹脂レンズにより打ち消されて、その影響を抑制ないし防止することができる。
【００２９】
上記構成からなる実施形態の具体的な数値による実施例を、実施例１、実施例２、実施例３、実施例４として以下に示す。また、球面収差、非点収差、歪曲収差（ディスト−ション）、倍率色収差に関する収差線図は、実施例１の結果を図２に、実施例２の結果を図４に、実施例３の結果を図６に、実施例４の結果を図８にそれぞれ示す。尚、図２、図４、図６、及び図８の収差線図において、ｄはｄ線による収差、ｇはｇ線による収差、ｃはｃ線による収差をそれぞれ示し、又、ＳＣは正弦条件の不満足量を示し、ＤＳはサジタル平面での収差、ＤＴはメリジオナル平面での収差を示す。
また、図３、図５、及び図７は、実施例２、実施例３、及び実施例４に係るそれぞれの基本構成図であり、実施例に応じた数値データ（設定値）等が異なるのみで基本的な構成は図１に示すものと同一であるため、ここでの説明は省略する。
【実施例１】
【００３０】
実施例１におけるレンズ系の基本構成は図１に示され、主な仕様諸元は表１に、種々の数値データ（設定値）は表２に、非球面に関する数値データは表３にそれぞれ示される。
この実施例においては、各条件式の数値データは、（１）ＴＬ／ｆ＝１６．５５０／６．４＝２．５８６、（２）│νｆ−νｓ│＝│２３．８−５３．９│＝３０．１、（３）│Σ（１／ｆｐ）│＝０．２４１、となる。
【００３１】
【表１】
2005316015.tif 000003
【００３２】
【表２】
2005316015.tif 000004
【００３３】
【表３】
2005316015.tif 000005
【００３４】
以上の実施例１においては、Ｆナンバーが２．８、画角（２ω）が５８°となり、広画角で、明るく、諸収差が良好に補正されて、高解像度の固体撮像素子に適した光学性能の高い撮像レンズが得られる。
【実施例２】
【００３５】
実施例２におけるレンズ系の基本構成は図３に示され、主な仕様諸元は表４に、種々の数値データ（設定値）は表５に、非球面に関する数値データは表６にそれぞれ示される。
この実施例においては、各条件式の数値データは、（１）ＴＬ／ｆ＝１２．８２８／５．２＝２．４６７、（２）│νｆ−νｓ│＝│２３．８−４８．０│＝２４．２、（３）│Σ（１／ｆｐ）│＝０．１５５、となる。
【００３６】
【表４】
2005316015.tif 000006
【００３７】
【表５】
2005316015.tif 000007
【００３８】
【表６】
2005316015.tif 000008
【００３９】
以上の実施例２においては、Ｆナンバーが２．９、画角（２ω）が５５．４°となり、広画角で、明るく、諸収差が良好に補正されて、高解像度の固体撮像素子に適した光学性能の高い撮像レンズが得られる。
【実施例３】
【００４０】
実施例３におけるレンズ系の基本構成は図５に示され、主な仕様諸元は表７に、種々の数値データ（設定値）は表８に、非球面に関する数値データは表９にそれぞれ示される。
この実施例においては、各条件式の数値データは、（１）ＴＬ／ｆ＝１５．６８０／６．７＝２．３４０、（２）│νｆ−νｓ│＝│２３．８−５３．９│＝３０．１、（３）│Σ（１／ｆｐ）│＝０．１７６、となる。
【００４１】
【表７】
2005316015.tif 000009
【００４２】
【表８】
2005316015.tif 000010
【００４３】
【表９】
2005316015.tif 000011
【００４４】
以上の実施例３においては、Ｆナンバーが２．９、画角（２ω）が５６．５°となり、広画角で、明るく、諸収差が良好に補正されて、高解像度の固体撮像素子に適した光学性能の高い撮像レンズが得られる。
【実施例４】
【００４５】
実施例４におけるレンズ系の基本構成は図７に示され、主な仕様諸元は表１０に、種々の数値データ（設定値）は表１１に、非球面に関する数値データは表１２にそれぞれ示される。この実施例においては、各条件式の数値データは、（１）ＴＬ／ｆ＝１３．８５０／７．２＝１．９２４、（２）│νｆ−νｓ│＝│２３．８−５３．９│＝３０．１、（３）│Σ（１／ｆｐ）│＝０．０１３２、となる。
【００４６】
【表１０】
2005316015.tif 000012
【００４７】
【表１１】
2005316015.tif 000013
【００４８】
【表１２】
2005316015.tif 000014
【００４９】
以上の実施例４においては、Ｆナンバーが２．８、画角（２ω）が５３．１°となり、広画角で、明るく、諸収差が良好に補正されて、高解像度の固体撮像素子に適した光学性能の高い撮像レンズが得られる。
【産業上の利用可能性】
【００５０】
以上述べたように、本発明の撮像レンズは、ＣＣＤ等の固体撮像素子を用いた電子撮像装置に適用され、特に、１００万画素以上の高密度な固体撮像素子を用いたデジタルスチルカメラ等に好適に利用される。
【図面の簡単な説明】
【００５１】
【図１】本発明に係る撮像レンズの一実施形態（実施例１）を示す構成図である。
【図２】実施例１に係る撮像レンズにおける、球面収差、非点収差、歪曲収差、倍率色収差の各収差図を示す。
【図３】本発明に係る撮像レンズの他の実施形態（実施例２）を示す構成図である。
【図４】実施例２に係る撮像レンズにおける、球面収差、非点収差、歪曲収差、倍率色収差の各収差図を示す。
【図５】本発明に係る撮像レンズの他の実施形態（実施例３）を示す構成図である。
【図６】実施例３に係る撮像レンズにおける、球面収差、非点収差、歪曲収差、倍率色収差の各収差図を示す。
【図７】本発明に係る撮像レンズの他の実施形態（実施例４）を示す構成図である。
【図８】実施例４に係る撮像レンズにおける、球面収差、非点収差、歪曲収差、倍率色収差の各収差図を示す。
【符号の説明】
【００５２】
１  第１レンズ（第１レンズ群）
２  第２レンズ（第１レンズ群、樹脂レンズ）
３  第３レンズ（第２レンズ群、接合レンズ）
４  第４レンズ（第２レンズ群、接合レンズ）
５  第５レンズ（第２レンズ群、樹脂レンズ）
６  開口絞り
７，８  ガラスフィルタ
Ｄ１〜Ｄ１３  光軸上の面間隔
Ｐ  撮像面
Ｒ１〜Ｒ１４  曲率半径
Ｓ１〜Ｓ１４  面
ν１〜ν５  アッベ数
ｆ  レンズ系の焦点距離
ｆｐ  樹脂レンズの焦点距離
ＴＬ  レンズ系の全長（空気換算距離）
νｆ  接合レンズにおいて負の屈折力をもつレンズのアッベ数
νｓ  接合レンズにおいて正の屈折力をもつレンズのアッベ数
ＢＦ  バックフォーカス
【図１】
2005316015.tif 000015
【図２】
2005316015.tif 000016
【図３】
2005316015.tif 000017
【図４】
2005316015.tif 000018
【図５】
2005316015.tif 000019
【図６】
2005316015.tif 000020
【図７】
2005316015.tif 000021
【図８】
2005316015.tif 000022